(57)【要約】【課題】本考案は、大きな口開きを防止でき、気道の確保に大きな影響を与える舌を安定した位置に保持でき、更に吸気、呼気も容易である前歯列用マウスピースを提供する。【解決手段】本考案の前歯列用マウスピース１は、下顎前歯列２１の背面側に配置される略長方形状の連結基部２と、この連結基部２の両端に設けた下顎前歯列２１に隙間３を有しつつ係合する一対の下側凹部４ａ、４ｂと、この一対の下側凹部４ａ、４ｂの上部に対応配置に、且つ、一対の下側凹部４ａ、４ｂよりも前方に位置し連結基部２の上端面に舌の先端部の受領域を形成するように設けられ、上顎前歯列２２に隙間５を有しつつ係合する一対の上側凹部６ａ、６ｂと、連結基部２における口腔内側の中央部の壁面から口腔内方に突設した舌の先端領域を受ける略長方形状の舌受部７と、を有するものである。【選択図】図１
0003120742.tif 000002
【実用新案登録請求の範囲】
【請求項１】
下顎前歯列の背面側に配置される連結基部と、
この連結基部の両端に設けられた下顎前歯列に隙間を有しつつ係合する一対の下側凹部と、
この一対の下側凹部の上部に対応配置に設けられ、上顎前歯列に隙間を有しつつ係合する一対の上側凹部と、
前記連結基部の口腔内側の壁面から口腔内方に突設した舌の先端領域を受ける舌受部と、
を有することを特徴とする前歯列用マウスピース。
【請求項２】
下顎前歯列の背面側に配置される略長方形状の連結基部と、
この連結基部の両端に設けた下顎前歯列に隙間を有しつつ係合する各々下方が開口した一対の下側凹部と、
この一対の下側凹部の上部に対応配置に設けられ、上顎前歯列に隙間を有しつつ係合する各々上方が開口した一対の上側凹部と、
前記連結基部における口腔内側の中央部の壁面から口腔内方に突設した舌の先端領域を受ける略長方形状の舌受部と、
を有することを特徴とする前歯列用マウスピース。
【請求項３】
下顎前歯列の背面側に配置される略長方形状の連結基部と、
この連結基部の両端に設けた下顎前歯列に隙間を有しつつ係合する各々下方が開口した一対の下側凹部と、
この一対の下側凹部の上部に対応配置に、且つ、一対の下側凹部よりも前方に位置し前記連結基部の上端面に舌の先端部の受領域を形成するように設けられ、上顎前歯列に隙間を有しつつ係合する各々上方が開口した一対の上側凹部と、
前記連結基部における口腔内側の中央部の壁面から口腔内方に突設した舌の先端領域を受ける略長方形状の舌受部と、
を有することを特徴とする前歯列用マウスピース。
【考案の詳細な説明】
【技術分野】
【０００１】
本考案は、前歯列用マウスピースに関し、詳しくは、睡眠時における無意識での口開き、いびき防止等に効果的な前歯列用マウスピースに関するものである。
【背景技術】
【０００２】
例えば、電車の椅子に着座状態で、無意識のうちに口を大きく開いて睡眠してしまうというような口元の体裁の悪い姿がよく見かけられる。
【０００３】
また、家庭や旅先のホテル等々での就寝時に、無意識のうちに口を大きく開いて睡眠し、いびきを発して周囲の人の不評をかうような事態も多い。
【０００４】
このような不都合な事態を回避するための用具として、更には、歯列の矯正用具として従来から種々のマウスピースが提案されている。
【０００５】
特許文献１には、全体として馬蹄形を呈し、上縁に上側凹溝部を、下縁に下側凹溝部を設け、更に、内壁部に舌の側面を保持するくぼみを備えた歯列マウスピースが提案されている。
【０００６】
しかし、この特許文献１の歯列マウスピースの場合においては、全体として馬蹄形に形成され、上顎、下顎双方の前歯列のみならず側方歯列までも上側凹溝部、下側凹溝部に係合させる構造であるため、上下の前歯列の中央部分が閉塞されことから吸気、呼気用の孔を歯列マウスピースに設ける必要が生じ、また、歯列との係合部分が多く、歯列の個人差に伴う形状修正に多くの手間が必要となる。
【特許文献１】特開２００３−２７５３１１号公報
【考案の開示】
【考案が解決しようとする課題】
【０００７】
本考案が、解決しようとする問題点は、睡眠中における大きな口開きを防止でき、気道の確保に大きな影響を与える舌を安定した位置に保持でき、更に吸気、呼気も容易であり、歯列との係合部分が少なく個人差に伴う形状修正の手間も少なくて済む前歯列用マウスピースが存在しない点である。
【課題を解決するための手段】
【０００８】
本考案の前歯列用マウスピースは、下顎前歯列の背面側に配置される連結基部と、この連結基部の両端に設けた下顎前歯列に隙間を有しつつ係合する一対の下側凹部と、この一対の下側凹部の上部に対応配置に設けられ、上顎前歯列に隙間を有しつつ係合する一対の上側凹部と、前記連結基部の口腔内側の壁面から口腔内方に突設した舌の先端領域を受ける舌受部と、を有することを最も主要な特徴とする。
【考案の効果】
【０００９】
本考案によれば、以下の効果を奏する。
請求項１記載の考案によれば、下顎前歯列の背面側に配置される連結基部における口腔内側の壁面から口腔内方に向けて舌の先端領域を受ける舌受部を突設するとともに、連結基部の両端に下顎前歯列に隙間を有しつつ係合する一対の下側凹部を設け、この一対の下側凹部の上部に上顎前歯列に隙間を有しつつ係合する一対の上側凹部を対応配置に設けたものであるから、一対の下側凹部と下顎前歯列、一対の上側凹部と上顎前歯列との各々の係合と、舌受部による気道の確保に大きな影響を与える舌の先端領域の安定保持とにより、いねむり時、就寝時等における大きな口開きによるいびきの発生や口元の不体裁を防止できる。
【００１０】
また、上顎前歯列に対して隙間を有しつつ係合する一対の上側凹部を設けていることから、一対の上側凹部の間の隙間を利用しての吸気、呼気も容易となる。
更に、一対の下側凹部の下顎前歯列に対する係合部分、一対の上側凹部の上顎前歯列に対する係合部分が各々従来例に比べ少ないことから、歯列の個人差に伴う形状修正も少なくて済む。
【００１１】
請求項２記載の考案によれば、連結基部を略長方形状、舌受部を略長方形状とし、更に、一対の下側凹部を下方が開口した形状に、一対の上側凹部を上方が開口した形状にした構成で、請求項１記載の考案の場合と同様な効果を発揮させることができる。
【００１２】
請求項３記載の考案によれば、前記請求項２記載の考案と同様な効果を奏するとともに、一対の下側凹部の上部に対応配置に、且つ、一対の下側凹部よりも前方に位置し前記連結基部の上端面に舌の先端部の受領域を形成するように一対の上側凹部を設けているので、気道の確保に大きな影響を与える舌の先端部をより安定に保持できる。
【考案を実施するための最良の形態】
【００１３】
本考案は、大きな口開きを防止でき、気道の確保に大きな影響を与える舌を安定した位置に保持でき、更に吸気、呼気も容易であり、歯列との係合部分が少なく個人差に伴う形状修正の手間も少なくて済む前歯列用マウスピースを提供するという目的を、下顎前歯列の背面側に配置される略長方形状の連結基部と、この連結基部の両端に設けた下顎前歯列に隙間を有しつつ係合する各々下方が開口した一対の下側凹部と、この一対の下側凹部の上部に対応配置に、且つ、一対の下側凹部よりも前方に位置し前記連結基部の上端面に舌の先端部の受領域を形成するように設けられ、上顎前歯列に隙間を有しつつ係合する各々上方が開口した一対の上側凹部と、前記連結基部における口腔内側の中央部の壁面から口腔内方に突設した舌の先端領域を受ける略長方形状の舌受部と、を有する構成により実現した。
【実施例】
【００１４】
以下に、本考案の実施例に係る前歯列用マウスピースについて図面を参照して詳細に説明する。
【００１５】
本実施例に係る前歯列用マウスピース１は、図１乃至図４及び図５、図６に示すように、下顎前歯列２１の背面側に配置される略長方形状の連結基部２と、この連結基部２の両端に設けた下顎前歯列２１に隙間３を有しつつ係合する各々下方が開口した一対の略逆Ｕ状の下側凹部４ａ、４ｂと、この一対の下側凹部４ａ、４ｂの上部に対応配置に、且つ、一対の下側凹部４ａ、４ｂよりも僅かに前方（顔の前方）に位置し、前記連結基部２の上端面に舌３１の先端部の受領域２ａを形成するように設けられ、上顎前歯列２２に前記隙間３に連なる隙間５を有しつつ係合する各々上方が開口した一対の略Ｕ状の上側凹部６ａ、６ｂと、を有している。
【００１６】
前記前歯列用マウスピース１は、更に、前記連結基部２における口腔内側の中央部の壁面から口腔３３の内方に突設した舌３１の先端領域下側を受ける略長方形状の舌受部７を有している。
【００１７】
前記前歯列用マウスピース１は、例えば、強度性と柔軟性を兼ね備えた歯科用の熱可塑性樹脂を用いた成型加工により一体に形成されている。なお、本実施例では、図示していないが、この前歯列用マウスピース１を口腔３３内に入れて係合して使用する際にその係合度を増すため、或いは前歯列用マウスピース１自体の形状保持のために、前歯列用マウスピース１の各部、すなわち、連結基部２、一対の略逆Ｕ状の下側凹部４ａ、４ｂ、一対の略Ｕ状の上側凹部６ａ、６ｂ、更には舌受部７の内部に、例えば金属材からなる針金形態の芯材を内蔵するようにして構成してもよい。
【００１８】
次に、本実施例に係る前歯列用マウスピース１の使用態様について図５、図６を参照して詳述する。
本実施例に係る前歯列用マウスピース１は、図５、図６に示すように、口腔３３内において、下顎前歯列２１の中央部分の背面側に連結基部２を配置し、一対の下側凹部４ａ、４ｂを下顎前歯列２１に、一対の上側凹部６ａ、６ｂを上顎前歯列２２に各々係合させる。このとき、一対の下側凹部４ａ、４ｂ間の隙間３により下顎前歯列２１の中央部分の下前歯２１ａが露出し、また、一対の上側凹部６ａ、６ｂ間の隙間５により上顎前歯列２２の中央部分の上前歯２２ａが露出する。
【００１９】
更に、下側凹部４ａ、上側凹部６ａの間の肉厚部分及び下側凹部４ｂ、上側凹部６ｂの間の肉厚部分の存在のため、下顎前歯列２１の下前歯２１ａと上顎前歯列２２の上前歯２２ａとは密着せずに、これらの間に空隙２４が生じる。
【００２０】
また、前歯列用マウスピース１の舌受部７上には、舌３１の先端領域下側が乗せられ、舌３１の先端部は前記受領域２ａ上に位置することになる。
【００２１】
この結果、一対の下側凹部４ａ、４ｂと下顎前歯列２１、一対の上側凹部６ａ、６ｂと上顎前歯列２２との各々の係合と、前記舌受部７、受領域２ａによる気道３２の確保に大きな影響を与える舌３１の先端領域及び先端部の安定保持とにより、就寝時等における大きな口開きによるいびきの発生や口元の不体裁を確実に防止することができる。
【００２２】
また、上顎前歯列２２に対して隙間５を有しつつ係合する一対の上側凹部６ａ、６ｂを有することから、前記空隙２４及び隙間５を利用しての吸気、呼気も容易となり、呼吸に支障を生じさせることは無くなる。
【００２３】
更に、一対の下側凹部４ａ、４ｂの下顎前歯列２１に対する係合部分、一対の上側凹部６ａ、６ｂの上顎前歯列２２に対する係合部分は各々従来例に比べ少なく、こにより、下顎前歯列２１、上顎前歯列２２の個人差に伴う前歯列用マウスピース１の形状修正も少なくて済む。
【００２４】
なお、本実施例に係る前歯列用マウスピース１において、下側凹部４ａ、４ｂ、上側凹部６ａ、６ｂの寸法、隙間３、５の間隔寸法は、子供用、大人男性用、大人女性用等の用途に応じて、種々に設定できることは言うまでもない。
【００２５】
また、本実施例に係る前歯列用マウスピース１の口腔３３内への装着と、ハーブ類の噴霧又は服用とを組み合わせることにより、就寝時にハーブ類の香りによる快感を惹起し、睡眠促進、安眠促進を図るという応用も可能である。
【産業上の利用可能性】
【００２６】
本考案は、上述した場合の他、下顎前歯列、上顎前歯列の歯列矯正等にも適用可能である。
【図面の簡単な説明】
【００２７】
【図１】本考案の実施例に係る前歯列用マウスピースの正面図である。
【図２】本実施例に係る前歯列用マウスピースの背面図である。
【図３】本実施例に係る前歯列用マウスピースの平面図である。
【図４】図１のＡ−Ａ線断面図である。
【図５】本実施例に係る前歯列用マウスピースの下顎前歯列、上顎前歯列に対する装着状態を示す概略正面図である。
【図６】本実施例に係る前歯列用マウスピースの口腔内における下顎前歯列、上顎前歯列に対する装着状態を示す概略断面図である。
【符号の説明】
【００２８】
１    前歯列用マウスピース
２    連結基部
２ａ  受領域
３    隙間
４ａ  下側凹部
４ｂ  下側凹部
５    隙間
６ａ  上側凹部
６ｂ  上側凹部
７    舌受部
２１    下顎前歯列
２１ａ  下前歯
２２    上顎前歯列
２２ａ  上前歯
２４    空隙
３１    舌
３２    気道
３３    口腔
【図１】
0003120742.tif 000003
【図２】
0003120742.tif 000004
【図３】
0003120742.tif 000005
【図４】
0003120742.tif 000006
【図５】
0003120742.tif 000007
【図６】
0003120742.tif 000008